(57)【特許請求の範囲】
【請求項１】
表示パネルを有するモニタユニットを含む表示部と、
前記表示部を収納できる空間を有し、前記表示部を摺動自在に支持するスライドユニットと、
前記表示部の摺動方向において前記スライドユニットに隣接するスライドピースであって、前記表示部を摺動自在に支持するスライドピースと
を備え、
前記表示部は、前記スライドユニットの前記空間に収納された収納位置と、前記スライドユニットから引き出された引き出し位置との間を摺動する、電子機器。
【請求項２】
前記表示部は、前記モニタユニットの一端に設けられた回転機構ユニットをさらに含み、
前記スライドユニットは、前記表示部において前記回転機構ユニットを摺動自在に支持し、前記スライドピースは、前記モニタユニットおよび前記回転機構ユニットの少なくとも一方を摺動自在に支持する、請求項１に記載の電子機器。
【請求項３】
前記モニタユニットは、前記表示パネルの、前記摺動方向に平行な中心線からオフセットされた位置にある回転軸の周りを前記回転機構ユニットに対して回転できるように、前記回転機構ユニットによって回転自在に支持される、請求項２に記載の電子機器。
【請求項４】
前記表示部が前記引き出し位置に移動したときに、前記表示部の摺動を制限し、または、前記表示部の前記摺動の制限を解除するように構成されたロック機構をさらに備えた、請求項１に記載の電子機器。
【請求項５】
前記回転機構ユニットは、係合孔および前記係合孔に係合する凸部分のいずれか一方を有し、前記スライドユニットは、前記係合孔および前記係合孔に係合する前記凸部分のいずれか他方を有し、
前記収納位置および前記引き出し位置の少なくとも一方において、前記係合孔と前記凸部分とは互いに係合する、請求項２に記載の電子機器。
【請求項６】
前記表示部が前記引き出し位置に移動したことを検出する検出部と、前記検出部の検出結果に応じて、前記表示パネルにおける画像の表示を制御する制御部とをさらに備えた、請求項１に記載の電子機器。
【請求項７】
前記モニタユニットを回転自在に支持する回転機構ユニットと、前記モニタユニットの回転位置を検出する検出部と、前記検出部の検出結果に応じて、前記表示パネルにおいて表示される画像の天地を制御する制御部とをさらに備えた、請求項１に記載の電子機器。
【請求項８】
前記スライドピースの主材料はポリアセタールである、請求項１に記載の電子機器。
【請求項９】
前記表示部における前記スライドピースと係合する部分は、前記スライドピースとは異なる材料で構成されている、請求項１に記載の電子機器。
【請求項１０】
光学系と、
前記光学系を介して形成された被写体像に基づいて撮像信号を生成する撮像素子と、
前記撮像信号に基づいて画像信号を生成する画像処理部と
をさらに備えた、請求項１から９のいずれかに記載の電子機器。
【請求項１１】
ユーザが手動で操作するための操作部をさらに備え、前記表示部は、前記光学系への入射光の光軸方向において前記操作部とは異なる位置に配置される、請求項１０に記載の電子機器。
【発明の詳細な説明】
【技術分野】
【０００１】
本開示はモニタユニットを備えた電子機器に関する。
【背景技術】
【０００２】
電子機器の分野において、表示パネルを有するモニタユニットを備えたデジタルスチルカメラ、デジタルムービーカメラ、およびポータブルＤＶＤプレーヤーなどが普及している。例えば、特許文献１は、使用時には見易い位置に配置でき、未使用時には視界の妨げとならず操作上の邪魔にならない位置に収納可能な表示部を備えた撮像装置を開示している。
【先行技術文献】
【特許文献】
【０００３】
【特許文献１】特開２００８−２４４８０１号公報
【発明の概要】
【発明が解決しようとする課題】
【０００４】
本開示は、モニタユニットを備えた、ユーザにとって操作し易い電子機器を提供する。
【課題を解決するための手段】
【０００５】
（１）本開示における電子機器は、表示パネルを有するモニタユニットを含む表示部と、表示部を収納できる空間を有し、表示部を摺動自在に支持するスライドユニットと、表示部の摺動方向においてスライドユニットに隣接するスライドピースであって、表示部を摺動自在に支持するスライドピースとを備え、表示部は、スライドユニットの空間に収納された収納位置と、スライドユニットから引き出された引き出し位置との間を摺動する。
【０００６】
（２）本開示における電子機器は、表示パネルを有するモニタユニットと、モニタユニットの一端に設けられた回転機構ユニットと、モニタユニットおよび回転機構ユニットを収納できる空間を有し、モニタユニットおよび回転機構ユニットを摺動自在に支持するスライドユニットとを備え、モニタユニットおよび回転機構ユニットは、スライドユニットの空間に収納された収納位置と、スライドユニットから引き出された引き出し位置との間を摺動し、モニタユニットは、表示パネルの、モニタユニットおよび回転機構ユニットの摺動方向に平行な中心線からオフセットされた位置にある回転軸の周りを回転機構ユニットに対して回転できるように、回転機構ユニットによって回転自在に支持される。
【発明の効果】
【０００７】
本開示における電子機器によれば、モニタユニットを備えた、ユーザにとって操作し易い電子機器を提供することができる。
【図面の簡単な説明】
【０００８】
【図１】例示的な実施の形態１におけるムービーカメラ１００の外観図である。
【図２】例示的な実施の形態１におけるムービーカメラ１００のシステム構成図である。
【図３】例示的な実施の形態１におけるモニタユニット１４１の引き出し時のムービーカメラ１００の外観図である。
【図４】例示的な実施の形態１におけるモニタユニット１４１の正転使用時のムービーカメラ１００の外観図である。
【図５】例示的な実施の形態１におけるモニタユニット１４１の反転使用時のムービーカメラ１００の外観図である。
【図６】例示的な実施の形態１におけるスライドモニタユニット１４０とモニタ収納部１３７の分解斜視図である。
【図７】（Ａ）〜（Ｃ）は例示的な実施の形態１におけるスライドピース１４２を説明するための図である。
【図８】例示的な実施の形態１におけるモニタユニット１４１の分解斜視図である。
【図９】例示的な実施の形態１におけるヒンジユニット１４７の分解斜視図である。
【図１０】例示的な実施の形態１におけるスライドユニット１４４の分解斜視図である。
【図１１】（Ａ）〜（Ｄ）は例示的な実施の形態１におけるモニタユニット１４１の摺動機構を説明するための図である。
【図１２】（Ａ）〜（Ｃ）は例示的な実施の形態１におけるモニタユニット１４１の引き出し時および収納時のクリック機構を説明するための図である。
【図１３】（Ａ）および（Ｂ）は例示的な実施の形態１におけるモニタユニット１４１の引き出しの検出を説明するための図である。
【図１４】（Ａ）〜（Ｅ）は例示的な実施の形態１におけるモニタユニット１４１のロック機構を説明するための図である。
【図１５】（Ａ）〜（Ｃ）は例示的な実施の形態１におけるモニタユニット１４１の回転機構を説明するための図である。
【図１６】例示的な実施の形態１におけるモニタユニット１４１の正転使用時のムービーカメラ１００の側面図である。
【図１７】（Ａ）〜（Ｄ）は例示的な実施の形態２におけるモニタユニット１４１の摺動機構を説明するための図である。
【図１８】（Ａ）および（Ｂ）は例示的な実施の形態１におけるモニタユニット１４１の反転の検出を説明するための図である。
【図１９】（Ａ）および（Ｂ）は例示的な実施の形態３におけるモニタユニットを備えたポータブルＤＶＤプレーヤー３０２を説明するための図である。
【図２０】従来のムービーカメラの外観図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者らは、当業者が本開示を十分に理解するために添付図面および以下の説明を提供するのであって、これらによって特許請求の範囲に記載の主題を限定することを意図するものではない。
【００１０】
〔実施の形態１〕
以下、図１〜１６および図１８を参照しながら、実施の形態１を説明する。
【００１１】
〔１−１．構成〕
〔１−１−１．ムービーカメラの構成〕
図１を参照しながら、実施の形態１にかかるムービーカメラ１００の全体構成を説明する。図１は、ムービーカメラ１００の外観図である。
【００１２】
実施の形態１に係るムービーカメラ１００は、レンズ部１１０と、カメラボディ部１２０と、ハンドル部１３０とを備えている。
【００１３】
ハンドル部１３０は、カメラボディ部１２０の上部に設けられている。ハンドル部１３０は、その上面において、音声を録音するためのマイク１３１と、外付けのマイクが接続可能な接続端子１３２と、アクセサリを取り付け可能なシュー１３３と、把持可能なハンドル１３５とを有する。
【００１４】
また、図１に示すムービーカメラ１００の、操作部１２２が設けられた側面とは反対側の図示されていない側面に、カメラボディ部１２０は、グリップ部（不図示）を有している。ユーザは、撮影状況に応じて、ハンドル１３５、又はグリップ部を把持することによりムービーカメラ１００を支持し、撮影を行うことができる。
【００１５】
なお、ユーザは不図示のグリップ部を右手で把持するとき、ムービーカメラ１００の重量を支えるために、左手をマニュアル操作リング１１１の付近に添えることができる。これにより、ユーザは、ムービーカメラ１００の重量を支えながら、姿勢を安定させて撮影を行うことができる。
【００１６】
ハンドル部１３０の後部には、ＥＶＦ(電子ビューファインダ)１３６が設けられている。また、ハンドル部１３０の先端の下面には、スライドモニタユニット１４０を収納することが可能なモニタ収納部１３７が設けられている。
【００１７】
スライドモニタユニット１４０は、スライドモニタユニット１４０の長辺がハンドル部１３０の長手方向に垂直になるように、モニタ収納部１３７に収納される。これにより、ハンドル部１３０の先端部の上面に、広く部材の配置スペースを確保することができる。そして、マイク１３１、シュー１３３、操作部１３４等、多数の部材を配置することができる。
【００１８】
以下、図１及び図２を参照しながら、レンズ部１１０およびカメラボディ部１２０の構成をそれぞれ説明する。図２は、ムービーカメラ１００のシステム構成図である。
【００１９】
レンズ部１１０は、複数枚のレンズを有する光学系２０１と、レンズ駆動部２０２と、絞り２０３と、手動でズーム操作及び画質調整を行うためのマニュアル操作リング１１１とを備えている。
【００２０】
カメラボディ部１２０は、撮像素子２０４と、Ａ／Ｄコンバータ２０５と、信号処理部２０６と、コントローラ２０７と、カードスロット２０８と、操作部１２２とを有する。また、カメラボディ部１２０は、ムービーカメラ１００の各部に電源供給するバッテリ１２１を含む。
【００２１】
尚、ハンドル部１３０に設けられた、マイク１３１、接続端子１３２、シュー１３３、操作部１３４、およびＥＶＦ１３６は、カメラボディ部１２０内のコントローラ２０７に電気的に接続されている。これにより、カメラボディ部１２０内のコントローラ２０７は、カメラボディ部１２０の内部に設けられた電気部材のみならず、ハンドル部に設けられた電気部材も制御することができる。
【００２２】
以下、図２に示すシステム構成の各構成要素について詳細に説明する。
【００２３】
光学系２０１は、ズームレンズおよびフォーカスレンズを含む。ズームレンズを光軸に沿って移動させることにより、被写体像が拡大、縮小される。また、フォーカスレンズを光軸に沿って移動させることにより、被写体像の焦点位置が調整される。
【００２４】
レンズ駆動部２０２は、光学系２０１に含まれる各種レンズを駆動する。レンズ駆動部２０２は、例えばズームレンズを駆動するズームモータと、フォーカスレンズを駆動するフォーカスモータとを含む。
【００２５】
絞り２０３は、ユーザの設定に応じて、または自動で絞り２０３の開口部の大きさを調整し、透過する光の量を調整する。
【００２６】
撮像素子２０４は、光学系２０１によって形成された被写体像に基づいて撮像信号（アナログ信号）を生成する。撮像素子２０４は、例えば露光、転送、電子シャッタの各種動作を行う。撮像素子２０４は、例えばＣＣＤイメージセンサ、ＣＭＯＳイメージセンサで実現できる。
【００２７】
Ａ／Ｄコンバータ２０５は、撮像素子２０４によって生成された撮像信号（アナログ信号）をデジタル信号に変換する。
【００２８】
信号処理部２０６は、Ａ／Ｄコンバータ２０５によって生成されたデジタル信号に各種処理を施す。例えば、信号処理部２０６は、デジタル信号に対して、ガンマ補正、ホワイトバランス補正、傷補正の各種処理を行う。
【００２９】
また、信号処理部２０６は、例えば、画像データを、Ｈ．２６４規格およびＭＰＥＧ２規格に準拠した圧縮形式により圧縮する。そして、信号処理部２０６は、表示パネルユニット１６１（以降は、表示パネル１６１と称する場合がある）に表示するための画像データと、メモリカード２０９に格納するための画像データとを生成する。信号処理部２０６は、ＤＳＰなどで実現できる。
【００３０】
信号処理部２０６は、マイク１３１によって取得された音声信号に対して、ノイズ除去処理などの各種処理を行う。
【００３１】
また、信号処理部２０６は、音声データを、例えば、ＭＰＥＧ４Ａｕｄｉｏ規格およびＡＣ３規格に準拠した圧縮形式により圧縮する。そして、信号処理部２０６は、メモリカード２０９に格納するための音声データを生成する。
【００３２】
コントローラ２０７は、ムービーカメラ１００の全体を制御する中央演算処理ユニット(ＣＰＵ)である。
【００３３】
また、コントローラ２０７は、検出部２１０の検出結果に応じて、表示パネル１６１における画像表示を制御する。コントローラ２０７は、マイコンなどで実現できる。
【００３４】
カードスロット２０８は、メモリカード２０９を着脱することが可能である。カードスロット２０８は、機械的及び電気的にメモリカード２０９と接続可能なインターフェース（Ｉ／Ｆ）である。メモリカード２０９は、フラッシュメモリや強誘電体メモリなどを内部に含み、信号処理部２０６により生成された画像ファイル等のデータを格納することが可能である。
【００３５】
マイク１３１は集めた音声を電気信号に変換する。
【００３６】
検出部２１０は、モニタユニット１４１の摺動位置および回転位置を検出する。検出部２１０は、スライド検知センサ１８２ａと反転検知センサ１８２ｂとを含む。スライド検知センサ１８２ａおよび反転検知センサ１８２ｂは、例えば磁気センサで実現できる。
【００３７】
操作部１２２および１３４は、ユーザからの操作を受け付けるユーザーインターフェースの総称である。操作部１２２および１３４は、例えばユーザからの操作を受け付ける十字キーおよび決定釦を有する。
【００３８】
表示パネルユニット１６１は、撮像素子２０４で撮像した被写体に基づく画像データが示す画像（スルー画像）、およびメモリカード２０９から読み出した画像データが示す画像を表示することが可能である。
【００３９】
また、表示パネルユニット１６１は、ムービーカメラ１００の各種設定を行うための各種メニュー画面等も表示することが可能である。
【００４０】
図３は、モニタユニット１４１の引き出し時のムービーカメラ１００の外観図である。ユーザは、モニタユニット１４１の先端に設けられた引き出しリブ１６６を用いて、モニタ収納部１３７からモニタユニット１４１を引き出す。
【００４１】
図３に示すように、モニタユニット１４１を使用するときには、モニタユニット１４１はハンドル１３５の長手方向に垂直にスライドし、モニタ収納部１３７から引き出される。
【００４２】
図４は、モニタユニット１４１の正転使用時のムービーカメラ１００の外観図である。ユーザは、モニタユニット１４１をモニタ収納部１３７から引き出した後、モニタユニット１４１を所定の方向に一定角度回転させることによって、モニタユニット１４１を、図４に示すように、表示パネル１６１がユーザ側を向いた位置（正転位置）に配置することができる。これにより、ユーザは、モニタユニット１４１の表示パネル１６１に表示される撮影画像を確認しながら、撮影を行うことができる。
【００４３】
図５は、モニタユニット１４１の反転使用時のムービーカメラ１００の外観図である。ユーザは、モニタユニット１４１を正転位置から１８０度回転させることにより、モニタユニット１４１を、図５に示すような反転位置に配置することができる。このとき、モニタユニット１４１の表示パネル１６１は、被写体に向いている。これにより、例えば被写体が人物であった場合は、その人物は、自分の撮影画像を確認しながら撮影を行うことができる。
【００４４】
従来の技術では、ムービーカメラの操作性が十分に高くない場合がある。その理由の１つは、図２０に示すように、ムービーカメラがモニタユニットをカメラボディ部の側面に備えているためである。
【００４５】
本願発明者らは、モニタユニットがカメラボディの側面に設けられている場合には、以下の問題が生じることを見出した。すなわち、モニタユニット使用時（モニタユニットがカメラボディに対して開いている状態）に、マニュアル操作リング１１１がユーザから見て、モニタユニットの背部に隠れてしまう。
【００４６】
また、ユーザが肩でムービーカメラを支持しながら撮影する場合、ユーザとモニタユニットとの間の距離が近くなり、モニタが見辛くなる。
【００４７】
本実施の形態１に係るムービーカメラ１００によれば、モニタユニット１４１をハンドル部１３０における先端の下面に配置することにより、使用時にはモニタユニット１４１を見やすい位置に配置でき、マニュアル操作リング及び各種の操作性が向上する。
【００４８】
また、未使用時にはモニタユニット１４１はモニタ収納部１３７に収納されるため、モニタユニット１４１はモニタ収納部１３７によって保護され、また持ち運びの邪魔にもならない。
【００４９】
〔１−１−２．スライドモニタユニット、およびモニタ収納部の構成〕
以下、図６を参照しながら、スライドモニタユニット１４０およびモニタ収納部１３７の構成を説明する。
【００５０】
図６は、スライドモニタユニット１４０とモニタ収納部１３７の分解斜視図である。スライドモニタユニット１４０は、モニタユニット１４１と、ヒンジユニット１４７と、スライドピース１４２と、スライドユニット１４４とを有している。
【００５１】
ヒンジユニット１４７は、モニタユニット１４１とビス留め等により組み合わされるように構成されている。ヒンジユニット１４７は回転機構を有しているため、モニタユニット１４１は、ヒンジユニット１４７に対して回転することができる。
【００５２】
モニタユニット１４１は両側面にモニタ溝１５０（１５０ａ、１５０ｂ）を有している。また、ヒンジユニット１４７は両側面にヒンジ溝１５１（１５１ａ、１５１ｂ）を有している。モニタユニット１４１と、ヒンジユニット１４７とが組み合わさると、モニタ溝１５０ａはヒンジ溝１５１ａと一直線の溝を形成する。同様に、モニタ溝１５０ｂはヒンジ溝１５１ｂと一直線の溝を形成する。
【００５３】
モニタ収納部１３７は、収納ケース１４５と、ハンドル上ユニット１４６とを有する。収納ケース１４５と、ハンドル上ユニット１４６とが組み合わさることにより、ボックス状の収納スペースができる。モニタ収納部１３７は、この収納スペースに、スライドモニタユニット１４０を収納する。
【００５４】
ハンドル上ユニット１４６の上面には、マイク１３１、シュー１３３、接続端子１３２、操作部１３４などの部材を設けることができる。これらの部材は、スライドユニット１４４の上面に配置された基板を介して、カメラボディ部１２０のコントローラ２０７と電気的に接続されている。これにより、コントローラ２０７は、これらの部材を電気的に制御することができる。
【００５５】
〔１−１−３．スライドピースの構成〕
図６および図７を参照しながら、スライドピース１４２の構成について説明する。図７（Ａ）はモニタユニット１４１が引き出される側から見た矩形状のスライドピース１４２の正面図である。図７（Ｂ）はモニタユニット１４１が引き出される側から見た矩形の一辺が存在しない形状を有するスライドピース１４２の正面図である。図７（Ｃ）は図７（Ｂ）に示す矩形の一辺が存在しない形状を有するスライドピース１４２のＡ-Ａ’線断面図である。
【００５６】
スライドピース１４２は、内側の両側面に、凹形状を有する溝１５３（１５３ａ、１５３ｂ）を有する。また、スライドピース１４２は、内側の両側面の溝１５３（１５３ａ、１５３ｂ）に隣接する位置であって、モニタユニット１４１が引き出される側の位置に、リブ１５２（１５２ａ、１５２ｂ）を有する。
【００５７】
スライドピース１４２のリブ１５２（１５２ａ、１５２ｂ）は、モニタユニット１４１とヒンジユニット１４７とから形成された一直線の溝と、モニタユニット１４１およびヒンジユニット１４７が摺動可能なように係合する。
【００５８】
実施の形態１では、スライドピース１４２の形状は、図６や図７（Ａ）に示すような矩形状である。しかし、スライドピース１４２はこのような形状に限定されない。例えば、スライドピース１４２の形状は、図７（Ａ）に示すような矩形状でなく、図７（Ｂ）および（Ｃ）に示すような矩形の一辺が存在しない形状であってもよい。このような形状でも、スライドピース１４２はモニタユニット１４１およびヒンジユニット１４７を摺動自在に支持できる。また、スライドピース１４２が矩形の一辺が存在しない形状の場合には、スライドピース１４２は、図７（Ｂ）に示す天地の向きとは逆向きに電子機器に設けられてもよい。
【００５９】
〔１−１−４．モニタユニットの構成〕
図８は、モニタユニット１４１の分解斜視図である。モニタユニット１４１は、モニタ上ケース１６０と、映像の表示部である表示パネルユニット１６１と、モニタ下ケース１６２と、反転検知磁石１６３とを有する。
【００６０】
モニタ上ケース１６０は、その外側の両側面にモニタ溝１５０（１５０ａ、１５０ｂ）を有する。モニタ下ケース１６２は、反転検知磁石１６３を収納する磁石ポケット１６４と、ユーザがモニタユニット１４１をモニタ収納部１３７から引き出すための、取手である引き出しリブ１６６とを有する。
【００６１】
表示パネルユニット１６１は、モニタ上ケース１６０と、モニタ下ケース１６２との間に収納される。モニタ下ケース１６２は、面がくり抜かれた枠形状であり、表示パネルユニット１６１の表示面が外部に露出するように形成されている。
【００６２】
モニタユニット１４１は、一面に表示パネル１６１を有している。モニタユニット１４１の表示パネル１６１は、カメラボディ部１２０内のコントローラ２０７と電気的に接続されており、当該コントローラ２０７により表示パネル１６１における画像表示の制御が行なわれる。
【００６３】
〔１−１−５．ヒンジユニットの構成〕
図９は、ヒンジユニット１４７の分解斜視図である。ヒンジユニット１４７は、ヒンジ上ケース１７０、鋼球１７３（１７３ａ、１７３ｂ）、ロックスプリング１７４（１７４ａ、１７４ｂ）、回転ヒンジユニット１７２、スライド検知磁石１７５、およびヒンジ下ケース１７１を有している。
【００６４】
ヒンジ上ケース１７０は、磁石ポケット１７６、孔１７８（１７８ａ、１７８ｂ）、および鋼球孔１７９（１７９ａ、１７９ｂ）を有している。ヒンジ上ケース１７０は、回転ヒンジユニット１７２を内部に収納した状態で、ヒンジ下ケース１７１と組み合わさる。
【００６５】
回転ヒンジユニット１７２は、回転板１６５、ロックピン１７７（１７７ａ、１７７ｂ）、および回転軸１８０を有している。
【００６６】
ヒンジ下ケース１７１は、外側の両側面に、矩形状リブ１５５（１５５ａ、１５５ｂ）と、矩形状リブ１５５に併設するヒンジ溝１５１（１５１ａ、１５１ｂ）とを有する。
【００６７】
〔１−１−６．スライドユニットの構成〕
図１０は、スライドユニット１４４の分解斜視図である。スライドユニット１４４は、基板１４３、ロックピン１８３（１８３ａ、１８３ｂ）、ロックスプリング１８４、ロックアングル１８５、ロックボタン１８７、スライドフレーム１８９、およびレール１９２（１９２ａ、１９２ｂ）を有する。
【００６８】
基板１４３は、ハンドル部１３０に設けられた操作部１３４とカメラボディ部１２０内のコントローラ２０７とを電気的に接続するための基板である。基板１４３は、スライドフレーム１８９の上面に、例えばビス留めにより装着される。
【００６９】
レール１９２（１９２ａ、１９２ｂ）は、スライドフレーム１８９の内側の両側面にそれぞれ嵌合される。
【００７０】
また、基板１４３には、スライド検知センサ１８２ａ、反転検知センサ１８２ｂが設けられている。スライド検知センサ１８２ａおよび反転検知センサ１８２ｂは、カメラボディ部１２０内のコントローラ２０７と電気的に接続されている。このため、カメラボディ部内のコントローラ２０７は、スライド検知センサ１８２ａおよび反転検知センサ１８２ｂの検出結果をそれぞれ認識することができる。
【００７１】
ロックアングル１８５は、ロック受け１８８（１８８ａ、１８８ｂ）、摺動孔１８６（１８６ａ、１８６ｂ）を有する。ロックアングル１８５は、スライドフレーム１８９に組み合わされる。
【００７２】
このとき、ロックスプリング１８４は、ロックアングル１８５とスライドフレーム１８９のそれぞれの係止部を結んで装着される。ロックアングル１８５は、スライドフレーム１８９に装着された状態で、ロックピン１８３（１８３ａ、１８３ｂ）が、摺動孔１８６（１８６ａ、１８６ｂ）を介して、スライドフレーム１８９の対応する孔に嵌まるように構成されている。
【００７３】
摺動孔１８６の開口は小判型の形状をしており、その長手方向の長さは、ロックピン１８３の口径よりも長くなるように構成されている。そのため、ロックアングル１８５が摺動したときに、摺動孔１８６に対するロックピン１８３の相対的な位置が移動する。
【００７４】
スライドフレーム１８９は、上面における両側の前後２箇所（計４箇所）にそれぞれ孔１９０（１９０ａ、１９０ｂ、１９０Ａ、１９０Ｂ）を有する。後述するクリック機構の説明のため、孔１９０ａと、孔１９０Ａとを結んだ軌跡をボール軌跡１９１ａと称する。同様に、孔１９０ｂと、孔１９０Ｂとを結んだ軌跡をボール軌跡１９１ｂと称する。
【００７５】
〔１−２．動作〕
〔１−２−１．モニタユニットの動作〕
図６および図１１を参照しながら、モニタユニット１４１の摺動機構を説明する。
【００７６】
図１１は、モニタユニット１４１の摺動機構を説明するための図である。図１１（Ａ）は、スライドピース１４２と、レール１９２（１９２ａ、１９２ｂ）とが収納ケース１４５に嵌合している状態の断面図である。
【００７７】
図１１（Ｂ）はモニタユニット１４１の収納位置における、リブ（１５２、１５５）と溝（１５０、１５１、１５３、１５４）との係合関係を説明するための図である。図１１（Ｃ）はモニタユニット１４１の収納位置と引き出し位置との間の中間位置における、リブ（１５２、１５５）と溝（１５０、１５１、１５３、１５４）との係合関係を説明するための図である。図１１（Ｄ）はモニタユニット１４１の引き出し位置における、リブ（１５２、１５５）と溝（１５０、１５１、１５３、１５４）との係合関係を説明するための図である。
【００７８】
図１１（Ａ）に示すように、嵌合状態において、スライドピース１４２とレール１９２とは密接している。すなわち、スライドピース１４２はモニタユニット１４１の摺動方向においてレール１９２を有するスライドユニット１４４に隣接する。
【００７９】
このため、スライドピース１４２が有する溝１５３（１５３ａ、１５３ｂ）と、レール１９２（１９２ａ、１９２ｂ）が有する溝１５４（１５４ａ、１５４ｂ）とは一直線に連続した溝を形成する。また、図１１（Ｂ）〜（Ｄ）に示すように、モニタユニット１４１のモニタ溝１５０（１５０ａ、１５０ｂ）と、ヒンジユニット１４７のヒンジ溝１５１（１５１ａ、１５１ｂ）とは一直線に連続した溝を形成する。
【００８０】
スライドピース１４２のリブ１５２（１５２ａ、１５２ｂ）は、モニタユニット１４１とヒンジユニット１４７とから形成された一直線の溝と、モニタユニット１４１およびヒンジユニット１４７が摺動自在なように係合し、ヒンジユニット１４７の矩形状リブ１５５（１５５ａ、１５５ｂ）は、スライドピース１４２とレール１９２とから形成された一直線の溝と、摺動自在に係合する。
【００８１】
モニタユニット１４１と、ヒンジユニット１４７との一体ユニット（以降は、表示部３０１と称する場合がある）は、スライドピース１４２のリブ１５２（１５２ａ、１５２ｂ）とヒンジユニット１４７の矩形状リブ１５５（１５５ａ、１５５ｂ）とによって支持されることにより、収納位置と引き出し位置との間を摺動する。
【００８２】
ここで、収納位置とは、モニタユニット１４１がスライドユニット１４４の空間に収納されたときの、モニタユニット１４１の位置である。また、引き出し位置とは、モニタユニット１４１がスライドユニット１４４から引き出されたときの、モニタユニット１４１の位置である。
【００８３】
図１１（Ｂ）〜（Ｄ）に示すように、ユーザが引き出しリブ１６６を用いてモニタユニット１４１を引き出すことにより、モニタユニット１４１は、モニタ収納部１３７に収納された状態から、非収納状態（取り出された状態）に遷移する。すなわち、モニタユニット１４１は、収納位置から引き出し位置にスライド移動する。
【００８４】
これにより、表示パネル１６１がモニタユニット１４１の下面に設けられている場合でも、表示部３０１が摺動するときに、表示パネル１６１はモニタ収納部１３７の内面に擦れて傷つかない。また、表示部３０１が摺動するとき、表示部３０１の上下へのガタツキを低減できる。
【００８５】
図１１（Ｂ）に示すように、モニタユニット１４１の収納状態(収納位置)において、矩形状リブ１５５（１５５ａ、１５５ｂ）は、溝１５４（１５４ａ、１５４ｂ）の、スライドピース１４２とは反対側の末端に位置している。
【００８６】
このとき、モニタユニット１４１と、ヒンジユニット１４７とで構成される一体ユニットは、モニタ収納部１３７の奥まで収納された状態となっている。また、モニタユニット１４１とヒンジユニット１４７との接合面は、外部に露出していない。したがって、モニタユニット１４１をヒンジユニット１４７に対して回転させようとユーザが力を加えても、モニタ溝１５０とリブ１５２とは係合しているため、モニタユニット１４１は回転しない。すなわち、ヒンジユニット１４７に対するモニタユニット１４１の回転は制限されている。
【００８７】
図１１（Ｄ）に示すように、モニタユニット１４１が引き出し位置に引き出されると、矩形状リブ１５５はレール１９２が有する溝１５４からスライドピース１４２が有する溝１５３に移動する。
【００８８】
このとき、スライドピース１４２は、引き出し位置においてヒンジユニット１４７を覆う。そして、モニタユニット１４１とヒンジユニット１４７との接合面は、外部に露出し、モニタ溝１５０とリブ１５２との係合が解放される。このため、モニタユニット１４１をヒンジユニット１４７に対して回転させようとユーザが力を加えると、モニタユニット１４１は、ヒンジユニット１４７に対して回転する。
【００８９】
本実施の形態１によれば、スライドピース１４２と係合する部分は、スライドピース１４２とは異なる材料で構成されていてもよい。すなわち、本実施の形態１では、スライドピース１４２と係合する、ヒンジユニット１４７のヒンジ下ケース１７１、およびモニタユニット１４１のモニタ上ケース１６０は、モニタユニット１４２とは異なる材料で構成されていてもよい。例えば、スライドピース１４２の主材料はポリアセタールであり、ヒンジユニット１４７のヒンジ下ケース１７１、およびモニタユニット１４１のモニタ上ケース１６０の主材料はＡＢＳ (Acrylonitrile Butadiene Styrene)である。
【００９０】
スライドピース１４２の主材料であるポリアセタールは、耐摩耗性、摺動性に優れた材料である。このため、本実施の形態１によれば、モニタユニット１４１が摺動するときの摺動音を低減することができる。
【００９１】
〔１−２−２．モニタユニットのクリック動作〕
図１２を参照しながら、クリック機構について説明する。図１２（Ａ）は、モニタユニット１４１の引き出し時（引き出し位置）および収納時（収納位置）のクリック機構を説明するための図である。図１２（Ｂ）は、モニタユニット１４１の収納位置におけるモニタユニット１４１およびヒンジユニット１４７と、スライドユニット１４４との位置関係を示す図である。図１２（Ｃ）は、モニタユニット１４１の引き出し位置におけるモニタユニット１４１およびヒンジユニット１４７と、スライドユニット１４４との位置関係を示す図である。
【００９２】
モニタユニット１４１がスライドユニット１４４を摺動するとき、鋼球１７３（１７３ａ、１７３ｂ）は、ボール軌道１９１（１９１ａ、１９２ｂ）に沿って、ロックスプリング１７４（１７４ａ、１７４ｂ）からのスライドフレーム１８９の方向への押圧を受けながら移動する。これにより、スライド移動において適度な摩擦を発生させることができる。従って、モニタユニット１４１をスライド移動させたときに、モニタユニット１４１の上下へのガタツキを低減することができる。
【００９３】
モニタユニット１４１が収納位置まで到達すると、鋼球１７３（１７３ａ、１７３ｂ）は、孔１９０（１９０ａ、１９０ｂ）と係合してロックされる(図１２（Ｂ）)。同様に、モニタユニット１４１が引き出し位置まで到達すると、鋼球１７３（１７３ａ、１７３ｂ）は、孔１９０（１９０Ａ、１９０Ｂ）と係合してロックされる(図１２（Ｃ）)。このロックが生じると、モニタユニット１４１をスライド操作しているユーザに対して振動が伝わる。これにより、ユーザは、モニタユニット１４１が収納されたことおよび引き出されたことを確認することができる。
【００９４】
〔１−２−３．モニタユニットの引き出しの検出〕
図１３は、モニタユニット１４１の引き出しの検出を説明するための図である。図１３（Ａ）および（Ｂ）に示すように、モニタユニット１４１の引き出し位置（図１３（Ｂ））において、ヒンジユニット１４７に設けられたスライド検知磁石１７５と、スライドユニット１４４の上面の基板１４３に設けられたスライド検知センサ１８２ａとが、互いに合わさる。これにより、スライド検知センサ１８２ａは、モニタユニット１４１が引き出し位置に移動したことを検出する。
【００９５】
この検出結果は、カメラボディ内のコントローラ２０７に通知される。これにより、コントローラ２０７は、モニタユニット１４１が引き出し位置に移動したことを認識して、モニタユニット１４１の表示パネル１６１における画像表示を開始するように制御する。
【００９６】
このように、コントローラ２０７は、モニタユニット１４１が引き出されてから、表示パネル１６１における画像表示を開始する。これにより、表示パネル１６１における画像表示を必要としない収納時においては、表示パネル１６１には画像が表示されないため、消費電力を低減することができる。
【０１００】
〔１−２−４．モニタユニットの摺動の制限〕
上述では、図１２を参照しながら、モニタユニット１４１が収納されたこと及び引き出されたことをユーザが確認できるクリック機構について説明した。ここでは、モニタユニット１４１の摺動を制限するロック機構について説明する。
【０１０１】
図１４は、モニタユニット１４１のロック機構を説明するための図である。図１４（Ａ）は、モニタユニット１４１がモニタ収納部１３７から完全に引き出されたとき（引き出し位置にあるとき）に、ロック機構が働いて、収納方向への移動が制限された状態のイメージ図である。図１４（Ｂ）は、ロック機構による収納方向への移動制限を、ロックボタン１８７（ロック解除ボタン）の押下により解除しているイメージ図である。図１４（Ｃ）から（Ｅ）は、モニタユニット１４１がモニタ収納部１３７に収納された状態（収納位置）から、引き出されてロック機構が働く様子を示す状態遷移を表す図である。
【０１０２】
ロックアングル１８５は、ロック受け１８８（１８８ａ、１８８ｂ）、摺動孔１８６（１８６ａ、１８６ｂ）を有する。ロックアングル１８５は、スライドフレーム１８９に組み合わされる。このとき、ロックスプリング１８４は、ロックアングル１８５とスライドフレーム１８９のそれぞれの係止部を結んでスライドフレーム１８９に装着される。
【０１０３】
ロックスプリング１８４は、ロックボタン１８７を押下する方向に付勢力を持つ。すなわち、図１４（Ｂ）に示すように、ユーザがロックボタン１８７を押下すると、ロックスプリング１８４にはロックスプリング１８４の付勢力が働く方向とは反対の方向に力が加わる。
【０１０４】
モニタユニット１４１のスライド移動が制限されている状態では、図１４（Ｅ）に示すように、ロックピン１７７（１７７ａ、１７７ｂ）がロック受け１８８（１８８ａ、１８８ｂ）に当接している。ロックボタン１８７の押下により、このモニタユニット１４１の摺動の制限を解除することができる。
【０１０５】
図１４（Ｃ）に示すように、モニタ収納部１３７に収納された状態（収納位置）から、モニタユニット１４１を引き出していくと、ロックピン１７７（１７７ａ、１７７ｂ）が、ロック受け１８８（１８８ａ、１８８ｂ）に当接する（図１４（Ｃ）→図１４（Ｄ））。
【０１０６】
ロック受け１８８（１８８ａ、１８８ｂ）は斜め形状を形成しており、ロックピン１７７（１７７ａ、１７７ｂ）は、この斜め形状に沿って当接することにより、ロックアングル１８５をロックスプリング１８４の付勢力が働く方向とは反対の方向に押圧する。これにより、ロックピン１７７（１７７ａ、１７７ｂ）は、ロック受け１８８（１８８ａ、１８８ｂ）のモニタユニット１４１側へと移動する。ロックピン１７７（１７７ａ、１７７ｂ）が、モニタユニット１４１側へと移動すると、ロックスプリング１８４の付勢力によりロックアングル１８５は、図１４（Ｅ）に示す位置へと移動する。
【０１０７】
このように、モニタユニット１４１がモニタ収納部１３７に収納された状態（収納位置）から引き出し位置に引き出されたときに、モニタユニット１４１の摺動を制限するように、ロック機構が働く。
【０１０８】
また、ロック機構が働いた状態で、ロックボタン１８７の押下により、モニタユニット１４１の摺動の制限を解除することができる。
【０１０９】
〔１−２−５．モニタユニットの回転〕
図１５は、モニタユニット１４１の回転機構を説明するための図である。図１５（Ｂ）は、図４に示すムービーカメラ１００の正転使用時におけるモニタユニット１４１の回転軸を示した図である。図１５（Ｃ）は、図５に示すムービーカメラ１００の反転使用時におけるモニタユニット１４１の回転軸を示した図である。
【０１１０】
モニタユニット１４１の回転軸は、モニタユニット１４１(表示パネル１６１)の、摺動方向に平行な中心線からオフセットした位置、すなわち、例えば1０ｍｍだけ中心線から偏心した位置にある。
【０１１１】
本実施の形態１では、このような機構を偏心機構と称する。これにより、モニタユニット１４１を中心線から偏心した回転軸で回転させたときのモニタユニット１４１の使用位置を、モニタユニット１４１を中心線で回転させたときのモニタユニット１４１の使用位置に対して上下にシフトさせることができる。
【０１１２】
ここで、図１５に示す中心線と回転軸との間の所定の距離を示すオフセット量は、モニタユニット１４１の使用位置の上下シフトの量を定義する。本実施の形態１によれば、例えばオフセット量Ｄは1０ｍｍである。
【０１１３】
これにより、モニタユニット１４１の使用時において、モニタユニット１４１をより高い位置に配置できるため、ユーザは、撮影中において表示パネル１６１をより確認し易くなる。また、ユーザは、レンズと視線との位置をほぼ同じ高さで撮影するときに、モニタユニット１４１によって被写体が遮られることなく被写体を確認しながら撮影することができる。
【０１１４】
モニタユニット１４１を、マニュアル操作リング１１１の近くの位置に配置した場合、モニタユニット１４１の使用時において、ユーザがマニュアル操作リング１１１を操作するための空間が少なくなってしまう。そこで、本実施の形態１のムービーカメラ１００は、モニタユニット１４１をより高い位置にシフトさせる偏心機構を備える。これにより、モニタユニット１４１とマニュアル操作リング１１１との配置位置が近い場合でも、ユーザがマニュアル操作リング１１１を操作するための空間を確保することができる。
【０１１５】
図１６は、モニタユニット１４１の正転使用時のムービーカメラ１００の側面図である。実施の形態１のムービーカメラ１００では、上下方向のみならず、光軸方向への空間を確保できる。図１６に示すように、実施の形態１においては、モニタユニット１４１は光学系２０１への入射光の光軸方向において操作部１１１の位置よりも被写体側に配置される。これにより、操作リング１１１に対してモニタユニット１４１の位置が相対的にずれる。
【０１１６】
したがって、ムービーカメラ１００が上記で説明した偏心機構を備えることによって、マニュアル操作リング１１１を操作するための空間をさらに確保できる。このため、ユーザはマニュアル操作リング１１１をより操作し易くなる。
〔１−２−６．モニタユニットの回転検出〕
図１８は、モニタユニット１４１の反転の検出を説明するための図である。図１８に示すように、モニタユニット１４１に設けられた反転検知磁石１６３と、スライドユニット１４４上の基板１４３に設けられた反転検知センサ１８２ｂとは、モニタユニット１４１が回転したときに互いに合わさる。
本実施の形態１のムービーカメラ１００では、表示パネル１６１が被写体側を向いたときに、すなわちモニタユニット１４１の反転位置において、反転検知磁石１６３と反転検知センサ１８２ｂとが、対向するよう合わさる。これにより、反転検知センサ１８２ｂは、モニタユニット１４１の反転状態を検出する。つまり、反転検知センサ１８２ｂは、モニタユニット１４１が反転位置にあることを検出する。
反転検知センサ１８２ｂによるモニタユニット１４１の反転状態の検出結果は、カメラボディ内のコントローラ２０７に通知される。コントローラ２０７は、モニタユニット１４１の反転状態を認識して、モニタユニット１４１の表示パネル１６１における画像の天地を制御する。これにより、被写体側に立っている人物は、モニタユニット１４１の表示パネル１６１に表示される画像の天地を正しく見ることができる。
【０１１７】
[１−３．効果等]
以上のように、本実施の形態において、
（１）ムービーカメラ１００は、表示パネル１６１を有するモニタユニット１４１を含む表示部３０１と、表示部３０１を収納できる空間を有し、表示部３０１を摺動自在に支持するスライドユニット１４４と、表示部３０１の摺動方向においてスライドユニット１４４に隣接するスライドピース１４２であって、表示部３０１を摺動自在に支持するスライドピース１４２とを備え、表示部３０１は、スライドユニット１４４の空間に収納された収納位置と、スライドユニット１４４から引き出された引き出し位置との間を摺動する。
【０１１８】
これにより、表示部３０１は、摺動するとき、スライドピース１４２のリブ１５２（１５２ａ、１５２ｂ）とヒンジユニット１４７の矩形状リブ１５５（１５５ａ、１５５ｂ）とによって支持される。表示パネル１６１がモニタユニット１４１の下面に設けられている場合でも、表示部３０１が摺動するときに、表示パネル１６１はモニタ収納部１３７の内面に擦れて傷つかない。また、表示部３０１が摺動するとき、表示部３０１の上下へのガタツキを低減できる。
【０１１９】
（２）表示部３０１は、モニタユニット１４１の一端に設けられたヒンジユニット１４７をさらに含み、スライドユニット１４４は、表示部３０１においてヒンジユニット１４７を摺動自在に支持し、スライドピース１４２は、モニタユニット１４１およびヒンジユニット１４７の少なくとも一方を摺動自在に支持する。
【０１２０】
これにより、ユーザは、モニタユニット１４１を正転位置に配置して、モニタユニット１４１の表示パネル１６１に表示される撮影画像を確認しながら、撮影を行うことができる。また、ユーザは、モニタユニット１４１を反転位置に配置して、自分の撮影画像を確認しながら撮影を行うことができる。
【０１２１】
（３）モニタユニット１４１は、表示パネル１６１の、摺動方向に平行な中心線からオフセットされた位置にある回転軸の周りをヒンジユニット１４７に対して回転できるように、ヒンジユニット１４７によって回転自在に支持される。
【０１２２】
これにより、モニタユニット１４１の使用時において、モニタユニット１４１をより高い位置に配置できるため、ユーザは、撮影中において表示パネル１６１をより確認し易くなる。また、ユーザは、レンズと視線との位置をほぼ同じ高さで撮影するときに、モニタユニット１４１によって被写体が遮られることなく被写体を確認しながら撮影することができる。
【０１２３】
（４）ムービーカメラ１００は、表示部３０１が引き出し位置に移動したときに、表示部３０１の摺動を制限し、または、表示部３０１の摺動の制限を解除するように構成されたロック機構を備える。
【０１２４】
これにより、モニタユニット１４１がモニタ収納部１３７の収納位置から引き出し位置に引き出されたときに、モニタユニット１４１の摺動が制限される。また、ロックボタン１８７の押下により、このモニタユニット１４１の摺動の制限を解除することができる。
【０１２５】
（５）ヒンジユニット１４７は鋼球１７３を有し、スライドユニット１４４は鋼球１７３に係合する孔１９０（１９０ａ、１９０ｂ、１９０Ａ、１９０Ｂ）を有し、モニタユニット１４１の収納位置および引き出し位置において、孔１９０と鋼球１７３とは互いに係合する。
【０１２６】
これにより、ユーザは、モニタユニット１４１が収納されたこと及び引き出されたことを確認することができる。
【０１２７】
（６）ムービーカメラ１００は、表示部３０１が引き出し位置に移動したことを検出する検出部２１０と、検出部２１０の検出結果に応じて、表示パネル１６１における画像の表示を制御するコントローラ２０７とをさらに備える。
【０１２８】
これにより、表示パネル１６１における画像表示を必要としない収納時においては、表示パネル１６１には画像が表示されないため、消費電力を低減することができる。
【０１２９】
（７）ムービーカメラ１００では、スライドピース１４２の主材料はポリアセタールである。表示部３０１におけるスライドピース１４２と係合する部分は、スライドピース１４２とは異なる材料であるＡＢＳで構成されている。
【０１３０】
これにより、モニタユニット１４１が摺動するときの摺動音を低減することができる。
【０１３１】
（８）ムービーカメラ１００は、ユーザが手動で操作するためのマニュアル操作リング１１１をさらに備え、表示部３０１は、光学系への入射光の光軸方向においてマニュアル操作リング１１１とは異なる位置に配置される。
【０１３２】
これにより、マニュアル操作リング１１１を操作するための空間をさらに確保できるため、ユーザはマニュアル操作リング１１１をより操作し易くなる。
【０１３３】
（実施の形態２）
以下、図６および図１５〜図１８を参照しながら、実施の形態２を説明する。なお、本実施の形態２に係るムービーカメラの説明において、実施の形態１に係るムービーカメラと実質的に同一の構成に対する重複説明は省略する。
【０１３４】
〔２−１．構成〕
〔２−１−１．スライドモニタユニットの構成〕
図６に示すように、実施の形態１におけるムービーカメラ１００では、スライドモニタユニット１４０は、モニタユニット１４１と、ヒンジユニット１４７と、スライドピース１４２と、スライドユニット１４４とを有している。本実施の形態２におけるムービーカメラ１００では、スライドモニタユニット１４０は、モニタユニット１４１と、ヒンジユニット１４７と、スライドユニット１４４とを有している。すなわち、スライドモニタユニット１４０はスライドピース１４２を含まない。
【０１３５】
モニタユニット１４１は両側面にモニタ溝１５０（１５０ａ、１５０ｂ）を有している。また、ヒンジユニット１４７は両側面にヒンジ溝１５１（１５１ａ、１５１ｂ）を有している。モニタユニット１４１と、ヒンジユニット１４７とが組み合わさると、モニタ溝１５０ａはヒンジ溝１５１ａと一直線の溝を形成する。同様に、モニタ溝１５０ｂはヒンジ溝１５１ｂと一直線の溝を形成する。
【０１３６】
図１７は、モニタユニット１４１の摺動機構を説明するための図である。図１７を参照しながら、モニタユニット１４１の摺動機構について説明する。図１７（Ａ）は、レール１９２（１９２ａ、１９２ｂ）が収納ケース１４５に嵌合している状態の断面図である。図１７（Ｂ）はモニタユニット１４１の収納位置における、リブ（１５５，１９３）と溝（１５０、１５１、１５４）との係合関係を説明するための図である。図１７（Ｃ）はモニタユニット１４１の収納位置と引き出し位置との間の中間位置における、リブ（１５５，１９３）と溝（１５０、１５１、１５４）との係合関係を説明するための図である。図１７（Ｄ）はモニタユニット１４１の引き出し位置における、リブ（１５５，１９３）と溝（１５０、１５１、１５４）との係合関係を説明するための図である。
【０１３７】
レール１９２（１９２ａ、１９２ｂ）は、ヒンジユニット１４７の両側面に形成された矩形状リブ１５５（１５５ａ、１５５ｂ）が摺動可能な溝１５４（１５４ａ、１５４ｂ）を有する。また、レール１９２（１９２ａ、１９２ｂ）は、モニタユニット１４１が引き出される側の位置に、リブ１９３（１９３ａ、１９３ｂ）を有する。
【０１３８】
レール１９２（１９２ａ、１９２ｂ）のリブ１９３（１９３ａ、１９３ｂ）は、モニタユニット１４１とヒンジユニット１４７とから形成された一直線の溝と、モニタユニット１４１およびヒンジユニット１４７が摺動可能なように係合する。矩形状リブ１５５（１５５ａ、１５５ｂ）は、レール１９２の一直線の溝１５４（１５４ａ、１５４ｂ）と摺動可能なように係合する。
【０１３９】
図１７（Ｂ）に示すとおり、モニタユニット１４１の収納位置において、矩形状リブ１５５（１５５ａ、１５５ｂ）は、リブ１９３（１９３ａ、１９３ｂ）とは反対側の、溝１５４（１５４ａ、１５４ｂ）の末端に位置している。このとき、モニタユニット１４１は、モニタ収納部１３７の奥まで収納された状態となっている。また、モニタユニット１４１とヒンジユニット１４７との接合面は、外部に露出していない。
【０１４０】
したがって、モニタユニット１４１をヒンジユニット１４７に対して回転させようとユーザが力を加えても、モニタ溝１５０とリブ１９３とは係合しているため、モニタユニット１４１は回転しない。すなわち、ヒンジユニット１４７に対するモニタユニット１４１の回転は制限されている。
【０１４１】
図１７（Ｄ）に示すとおり、モニタユニット１４１の引き出し位置において、矩形状リブ１５５（１５５ａ、１５５ｂ）は、リブ１９３（１９３ａ、１９３ｂ）側の、溝１５４（１５４ａ、１５４ｂ）の末端に位置している。このとき、モニタユニット１４１とヒンジユニット１４７との接合面は、外部に露出し、モニタ溝１５０とリブ１９３との係合が解放される。このため、モニタユニット１４１をヒンジユニット１４７に対して回転させようとユーザが力を加えると、モニタユニット１４１は、ヒンジユニット１４７に対して回転する。
【０１４２】
[２−２．動作]
[２−２−１．モニタユニットの摺動]
以下、図１７を参照して、モニタユニットの摺動について説明する。
【０１４３】
図１７（Ｂ）〜（Ｄ）に示すとおり、モニタユニット１４１およびヒンジユニット１４７は、スライドユニット１４４に摺動自在に支持されて、収納位置と引き出し位置との間を摺動する。ユーザが引き出しリブ１６６を用いてモニタユニット１４１を引き出すことにより、モニタユニット１４１は、収納位置から引き出し位置にスライド移動する。
【０１４４】
〔２−２−２．モニタユニットの回転〕
実施の形態２におけるムービーカメラ１００は、図１６に示すとおり、モニタユニット１４１の回転軸は、モニタユニット１４１の、摺動方向に平行な中心線からオフセットした位置、すなわち、例えば１０ｍｍだけ中心線から偏心した位置にある。これにより、モニタユニット１４１を中心線から偏心した回転軸で回転させたときのモニタユニット１４１の使用位置を、モニタユニット１４１を中心線で回転させたときのモニタユニット１４１の使用位置に対して上下にシフトさせることができる。
【０１４５】
また、モニタユニット１４１の回転軸を、被写体とは逆側（つまりユーザ）から見て前方に、例えば１０ｍｍだけ中心線から偏心させて、図１５に示すように、モニタユニット１４１の収納時に表示パネル１６１が下方になるようにモニタユニット１４１を構成することにより、ユーザからより遠い位置にて、ユーザはモニタユニット１４１を使用することができる。ユーザとモニタユニット１４１との距離が確保されるため、ユーザは、撮影中において表示パネル１６１を確認し易くなる。
【０１４６】
〔２−２−３．モニタユニットの回転検出〕
実施の形態２のムービーカメラ１００は、実施の形態１のムービーカメラ１００と同様に、図１８に示すようにモニタユニット１４１の回転検出を行うための機構を有している。
【０１４７】
これにより、被写体側に立っている人物は、モニタユニット１４１の表示パネル１６１に表示される画像の天地を正しく見ることができる。
【０１４８】
[２−３．効果等]
（１）ムービーカメラ１００は、表示パネル１６１を有するモニタユニット１４１と、モニタユニット１４１の一端に設けられたヒンジユニット１４７と、モニタユニット１４１およびヒンジユニット１４７を収納できる空間を有し、モニタユニット１４１およびヒンジユニット１４７を摺動自在に支持するスライドユニット１４４とを備え、モニタユニット１４１およびヒンジユニット１４７は、スライドユニット１４４の空間に収納された収納位置と、スライドユニット１４４から引き出された引き出し位置との間を摺動し、モニタユニット１４１は、表示パネル１６１の、モニタユニット１４１およびヒンジユニット１４７の摺動方向に平行な中心線からオフセットされた位置にある回転軸の周りをヒンジユニット１４７に対して回転できるように、ヒンジユニット１４７によって回転自在に支持される。
【０１４９】
これにより、モニタユニット１４１およびヒンジユニット１４７は、スライドユニット１４４によって摺動自在に支持されて、収納位置と引き出し位置との間を摺動する。また、モニタユニット１４１の使用時において、モニタユニット１４１をより高い位置に配置できるため、ユーザは、撮影中において表示パネル１６１をより確認し易くなる。
【０１５０】
また、ユーザは、レンズと視線との位置をほぼ同じ高さで撮影するときに、モニタユニット１４１によって被写体が遮られることなく被写体を確認しながら撮影することができる。
【０１５１】
（２）ムービーカメラ１００は、光学系２０１と、光学系２０１を介して形成された被写体像に基づいて撮像信号を生成する撮像素子２０４と、撮像信号に基づいて画像信号を生成する信号処理部２０６とをさらに備える。回転軸は表示パネル１６１の中心線に関して被写体側に位置し、表示パネル１６１はモニタユニット１４１の下面に配置されている。
【０１５２】
これにより、ユーザとモニタユニット１４１との距離が確保されるため、ユーザは、撮影中において表示パネル１６１を確認し易くなる。
【０１５３】
（３）ムービーカメラ１００は、モニタユニット１４１の回転位置を検出する検出部２１０と、検出部２１０の検出結果に応じて、表示パネル１６１において表示される画像の天地を制御するコントローラ２０７とをさらに備える。
【０１５４】
これにより、被写体側に立っている人物は、モニタユニット１４１の表示パネル１６１に表示される画像の天地を正しく見ることができる。
【０１５５】
〔実施の形態３〕
以下、図１９を参照しながら、実施の形態３を説明する。
【０１５６】
[３−１．構成]
実施の形態１および２では、モニタユニットを備えたムービーカメラ１００について説明した。実施の形態３では、モニタユニットを備えたポータブルＤＶＤプレーヤー３０２について説明する。図１９はモニタユニットを備えたポータブルＤＶＤプレーヤー３０２を説明するための図である。図１９（Ａ）は、ポータブルＤＶＤプレーヤー３０２の側面図である。図１９（Ｂ）は、ポータブルＤＶＤプレーヤー３０２の外観図である。
【０１５７】
図１９（Ａ）に示すように、ポータブルＤＶＤプレーヤー３０２は、本体部３００と、表示部３０１と、スライドユニット１４４と、スライドピース１４２とを備える。表示部３０１は表示パネル１６１を含む。
【０１５８】
[３−２．動作]
実施の形態１および２で説明したように、表示部３０１は、引き出し位置と収納位置との間を摺動する。ユーザは、表示部３０１を使用するときに、表示部３０１を引き出し位置に引き出す。また、表示部３０１を使用しないときは、表示部３０１を収納位置に収納することができる。
【０１５９】
[３−３．効果等]
ポータブルＤＶＤプレーヤー３０２は、本体部３００と、表示パネル１６１を有する表示部３０１と、表示部３０１を収納できる空間を有し、表示部３０１を摺動自在に支持するスライドユニット１４４と、表示部３０１の摺動方向においてスライドユニット１４４に隣接するスライドピース１４２であって、表示部３０１を摺動自在に支持するスライドピース１４２とを備え、表示部３０１は、スライドユニット１４４の空間に収納された収納位置と、スライドユニット１４４から引き出された引き出し位置との間を摺動する。
【０１６０】
これにより、表示パネル１６１が表示部３０１の下面に設けられている場合でも、表示部３０１が摺動するときに、表示パネル１６１は本体部３００の内面に擦れて傷つかない。
【０１６１】
また、表示部３０１が摺動するとき、表示部３０１の上下へのガタツキを低減できる。
【０１６２】
実施の形態１に係るムービーカメラ１００のように、表示部３０１はヒンジユニット１４７を含んでいてもよい。この場合、図１９（Ａ）に示すように、ユーザは表示部３０１の角度を調節することにより、表示パネル１６１を見易い位置に配置することができる。
【０１６３】
〔４．他の実施の形態〕
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【０１６４】
そこで、以下、他の実施の形態を例示する。
【０１６５】
上記の実施の形態１にかかるムービーカメラ１００では、ユーザが引き出しリブ１６６を用いてモニタユニット１４１を引き出すことにより、モニタユニット１４１はスライド移動したが、これに限定されない。
【０１６６】
例えば、モニタユニット１４１の、引き出しリブ１６６が設けられた露出面に対向する側面に、モニタユニット１４１を使用状態（引き出し位置）の方向へと付勢する付勢手段（スプリングなど）が設けられており、ユーザがモニタユニット１４１の露出面を押下することによって、付勢手段の付勢力によりモニタユニット１４１が使用状態（引き出し位置）へとスライドするようにしてもよい。
【０１６７】
上記の実施の形態１にかかるムービーカメラ１００は、モニタユニット１４１が、ボックス形状を有するモニタ収納部１３７内に収納されるように構成されるが、これに限定されない。
【０１６８】
例えばムービーカメラ１００は、モニタユニット１４１が、収納されなくても、スライド移動することにより、表示パネル１６１の使用状態と非使用状態とを遷移するように構成されていればよい。すなわち、ムービーカメラ１００は、モニタユニット１４１が収納されず外部に露出するように構成されていてもよい。
【０１６９】
この場合、スライドピース１４２の形状は、図７（Ｂ）に示すように矩形の一辺が存在しない形状であってもよい。また、スライドピース１４２は、図７（Ｂ）に示す天地の向きとは逆向きにムービーカメラ１００に設けられてもよい。
【０１７０】
但し、モニタユニット１４１を、ボックス形状を有するモニタ収納部１３７に収納することにより、例えば外部からの損傷および粉塵から表示パネル１６１を保護することができる。
【０１７１】
上記の実施の形態１にかかるムービーカメラ１００では、スライド移動を実現するために、スライドピース１４２が有する溝１５３とレール１９２が有する溝１５４とが一直線に連続した溝を形成し、この溝を、ヒンジユニット１４７の矩形状リブ１５５が摺動するように構成した。
【０１７２】
また、モニタユニット１４１のモニタ溝１５０と、ヒンジユニット１４７のヒンジ溝１５１とが一直線に連続した溝を形成し、この溝を、スライドピース１４２のリブ１５２が摺動するように構成した。
【０１７３】
しかしながら、この構成に限定されない。すなわち、ムービーカメラ１００では、モニタユニット１４１と、ヒンジユニット１４７との組み合せにより形成された溝でなく、それぞれのユニットに形成された単一の溝を、対応するリブが摺動するように構成してもよい。
【０１７４】
但し、モニタユニット１４１と、ヒンジユニット１４７との組み合せにより形成された溝をリブが摺動するような構成にすることにより、一方のユニットに対して、他方のユニットは回転することができる。
【０１７５】
実施の形態１にかかるムービーカメラ１００において、使用状態および非使用状態は、表示パネル１６１において画像が表示している状態、および表示パネル１６１において画像が表示していない状態にそれぞれ対応付けたが、これに限定されない。
【０１７６】
例えば、使用状態および非使用状態は、モニタユニット１４１の表示パネル１６１が、外部に露出した状態、および外部に露出していない状態にそれぞれ対応付けてもよい。
【０１７７】
実施の形態１にかかるムービーカメラ１００において、スライドフレーム１８９は、上面の両側の前後２箇所（計４箇所）にそれぞれ孔１９０（１９０ａ、１９０ｂ、１９０Ａ、１９０Ｂ）を有する。
【０１７８】
しかし、これに限定されない。例えば、スライドフレーム１８９には、孔１９０ａと１９０ｂの代わりに、孔１９０ａと１９０ｂとの間に係合孔Ａが設けられ、孔１９０Ａと１９０Ｂの代わりに、孔１９０Ａと１９０Ｂとの間に係合孔Ｂが設けられている。また、ヒンジユニット１４７には、鋼球１７３ａと鋼球１７３ｂの代わりに、鋼球１７３ａと鋼球１７３ｂとの間に、係合孔ＡおよびＢと係合する凸部が設けられている。モニタユニット１４１の収納位置と引き出し位置とにおいて、凸部が係合孔ＡおよびＢとそれぞれ係合してもよい。
【０１７９】
このような構成においても、ロックが生じてユーザに振動が伝わり、ユーザは、モニタユニット１４１が収納されたこと、および引き出されたことを確認することができる。
【０１８０】
また、上記の構成とは逆に、スライドフレーム１８９に凸部が設けられ、ヒンジユニット１４７に係合孔が設けられていてもよい。
【０１８１】
このような構成においても、ロックが生じてユーザに振動が伝わり、ユーザは、モニタユニット１４１が収納されたこと、および引き出されたことを確認することができる。
【０１８２】
以上のように、本開示における技術の例示として、実施の形態を説明した。そのために、添付図面および詳細な説明を提供した。
【０１８３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１８４】
また、上述の実施の形態は、本開示における技術を例示するためのものであるから、特許請求の範囲またはその均等の範囲において種々の変更、置き換え、付加、省略などを行うことができる。
【産業上の利用可能性】
【０１８５】
本開示は、例えばデジタルスチルカメラ、ムービーカメラ、ポータブルＤＶＤプレーヤー、記録メディア再生装置の電子機器に適用可能である。
【符号の説明】
【０１８６】
１００  ムービーカメラ
１１０  レンズ部
１１１  マニュアル操作リング
１２０  カメラボディ部
１２１  バッテリ
１２２  操作部
１３０  ハンドル部
１３１  マイク
１３２  接続端子
１３３  シュー
１３４  操作部
１３５  ハンドル
１３６  ＥＶＦ
１３７  モニタ収納部
１４０  スライドモニタユニット
１４１  モニタユニット
１４２  スライドピース
１４３  基板
１４４  スライドユニット
１４５  収納ケース
１４６  ハンドル上ユニット
１４７  ヒンジユニット
１５０（ａ，ｂ）  モニタ溝
１５１（ａ，ｂ）  ヒンジ溝
１５２（ａ，ｂ）  リブ
１５３（ａ，ｂ）  溝
１５４（ａ，ｂ）  溝
１５５（ａ，ｂ）  矩形状リブ
１６０  モニタ上ケース
１６１  表示パネルユニット
１６２  モニタ下ケース
１６３  反転検知磁石
１６４  磁石ポケット
１６５  回転板
１６６  引き出しリブ
１７０  ヒンジ上ケース
１７１  ヒンジ下ケース
１７２  回転ヒンジユニット
１７３（ａ，ｂ）  鋼球
１７４（ａ，ｂ）  ロックスプリング
１７５  スライド検知磁石
１７６  磁気ポケット
１７７（ａ，ｂ）  ロックピン
１７８（ａ，ｂ）  孔
１７９（ａ，ｂ）  鋼球孔
１８０  回転軸
１８２ａ  スライド検知センサ
１８２ｂ  反転検知センサ
１８３（ａ，ｂ）  ロックピン
１８４  ロックスプリング
１８５  ロックアングル
１８６（ａ，ｂ）  摺動孔
１８７  ロックボタン
１８８（ａ，ｂ）  ロック受け
１８９  スライドフレーム
１９０（ａ，ｂ）  孔
１９０（Ａ，Ｂ）  孔
１９１ａ  ボール軌道
１９２（ａ，ｂ）  レール
１９３（ａ，ｂ）  リブ
２０１  光学系
２０２  レンズ駆動部
２０３  絞り
２０４  撮像素子
２０５  ＡＤＣ
２０６  信号処理部
２０７  コントローラ
２０８  カードスロット（Ｉ／Ｆ）
２０９  メモリカード
２１０  検出部
３００  本体部
３０１  表示部
３０２  ポータブルＤＶＤプレーヤー
４００  モニタユニット
【図１】
0006004224.tif 000002
【図２】
0006004224.tif 000003
【図３】
0006004224.tif 000004
【図４】
0006004224.tif 000005
【図５】
0006004224.tif 000006
【図６】
0006004224.tif 000007
【図７】
0006004224.tif 000008
【図８】
0006004224.tif 000009
【図９】
0006004224.tif 000010
【図１０】
0006004224.tif 000011
【図１１】
0006004224.tif 000012
【図１２】
0006004224.tif 000013
【図１３】
0006004224.tif 000014
【図１４】
0006004224.tif 000015
【図１５】
0006004224.tif 000016
【図１６】
0006004224.tif 000017
【図１７】
0006004224.tif 000018
【図１８】
0006004224.tif 000019
【図１９】
0006004224.tif 000020
【図２０】
0006004224.tif 000021